(57)【特許請求の範囲】
【請求項１】
棚板の下面の前後部に、互いに平行に延びる前後レール部を設け、該両レール部に、線材からなるブックサポートの上端水平部をそれぞれ弾性付勢させることで、その直下の棚板上に並立している書籍類の倒れを防ぐようにした書棚のブックサポート装置において、書棚は複数枚の棚板と、少なくとも一枚の小棚板を有し、棚板は少なくとも２つのブックサポートを有し、ブックサポートは、左右に所定間隔を有して配設された状態で、前記小棚板の左右端部を支持する支持部を有していることを特徴とする書棚のブックサポート装置。
【請求項２】
小棚板の左右端部下面に支持部が嵌合する前後方向の嵌合凹部が形成されていることを特徴とする請求項１に記載の書棚のブックサポート装置。
【請求項３】
支持部の上方には小棚板の奥行き寸法より小さい間隔で、前後垂下部が形成されていることを特徴とする請求項１、又は、請求項２に記載の書棚のブックサポート装置。
【請求項４】
小棚板の左右端部表裏両面に支持部が嵌合する前後方向の嵌合凹部が形成され、表裏面の少なくとも一方には、ペントレーとして機能可能な小物収納用凹部が形成されていることを特徴とする請求項１、又は、請求項３に記載の書棚のブックサポート装置。
【発明の詳細な説明】
【技術分野】
【０００１】
本発明は、書棚に設けられるブックサポートに関し、書籍の増加や、異なった書籍サイズ（文庫本、単行本等）に対応して、書籍を取り出しやすい位置に、棚板を増設することなく、又は、棚板の上下方向の取り付け位置を変えることなく、仮置き的に整理整頓することが可能な書棚のブックサポート装置に関するものである。
【背景技術】
【０００２】
従来、書棚の棚板下面に設けられるブックサポート装置は、棚板の下面の前後部に、互いに平行に延びるレールを設け、該両レールに、線材からなるブックサポートの上端水平部をそれぞれ弾性付勢させることで、その直下の棚板上に並立している書籍類の倒れを防ぐようにしたものであった。（例えば、特許文献１）。
【０００３】
すなわち、ブックサポートは書籍類の倒れを防ぐ機能を有しているが、棚板によっては、背高の書籍と背低の書籍（単行本と文庫本等）が、何冊も混在して、並立している個所がある。この場合、背高の書籍と背低の書籍を棚板上に集約して整頓することが多いが、その上方の棚板は、背高の書籍に合わせて (取り出し易さを考慮して、書籍の上方に所定の空間を設けて) 配設されるので、集約した背低の書籍の上方には、デッドスペースとなる空間が発生する。従って、書籍がある程度の量に増加するまで仮置き的に、この空間に背高の書籍を横にして載置したり、あるいは、背低の書籍をさらにその上に並立したりして利用していた。
このため、重なった個所での書籍の取り出しが容易でなく、書棚全体の見栄えも好ましくなかった。
【先行技術文献】
【特許文献】
【０００４】
【特許文献１】特許第３６１４９８９号公報
【発明の概要】
【発明が解決しようとする課題】
【０００５】
本願発明は、このような問題に鑑み、簡単な構造で安価に製作でき、棚板上に並立している書籍類の倒れを防ぐブックサポートの機能を維持しつつ、従来デッドスペースとなっていた空間を、書籍、フィギュア等の小物の載置スペースとして利用できる書棚のブックサポート装置を提供することを課題とするものである。
【課題を解決するための手段】
【０００６】
そこで、上記課題を解決する為、本発明が第１の手段として構成したところは、棚板の下面の前後部に、互いに平行に延びる前後レール部を設け、該両レール部に、線材からなるブックサポートの上端水平部をそれぞれ弾性付勢させることで、その直下の棚板上に並立している書籍類の倒れを防ぐようにした書棚のブックサポート装置において、書棚は複数枚の棚板と、少なくとも一枚の小棚板を有し、棚板は少なくとも２つのブックサポートを有し、ブックサポートは、左右に所定間隔を有して配設された状態で、前記小棚板の左右端部を支持する支持部を有しているものである
【０００７】
次に上記課題を解決する為、本発明が第２の手段として構成したところは、第１の手段とした構成に加え、小棚板の左右端部下面に支持部が嵌合する前後方向の嵌合凹部が形成されているものである。
【０００８】
次に上記課題を解決する為、本発明が第３の手段として構成したところは、第１の手段とした構成、又は、第２の手段とした構成に加え、支持部の上方には小棚板の奥行き寸法より小さい間隔で、前後垂下部が形成されているものである。
【０００９】
次に上記課題を解決する為、本発明が第４の手段として構成したところは、第１の手段とした構成、又は、第３の手段としての構成に加え、小棚板の左右端部表裏両面に支持部が嵌合する前後方向の嵌合凹部が形成され、表裏面の少なくとも一方には、ペントレーとして機能可能な小物収納用凹部が形成されているものである。
【発明の効果】
【００１０】
第１の手段として構成したところによると、ブックサポートは、書籍類の倒れを防ぐ機能を有するだけでなく、小棚板の左右端部を支持する支持部を有しているので、背低の書籍の上方で、左右に所定間隔を有してブックサポートを配設し、このブックサポート間に小棚板を配設し、小棚板上に背低の書籍を並立すれば、背低の書籍が取り出し易く上下方向で重ねて整頓することが出来る。又、小棚板にフィギュア等の飾り物を置くことで、従来デッドスペースとなっていた個所を飾り棚として使用することも出来る。
【００１１】
第２の手段として構成したところによると、上記効果に加え、小棚板には支持部が嵌合する前後方向の嵌合凹部が形成されているので、小棚板は左右のブックサポートに支持された状態で、左右に位置ずれをおこすことがなく、左右端面を書籍の支持部として利用することも出来る。
【００１２】
第３の手段として構成したところによると、上記第１及び第２の手段として構成したところによる効果に加え、支持部の上方には前後垂下部が小棚板の奥行き寸法より小さい間隔で形成されているので、前後垂下部が小棚板上の書籍の倒れを防ぐ、ブックサポートとして機能する。
【００１３】
第４の手段として構成したところによると、上記第１の手段として構成、第３の手段として構成したところによる効果に加え、小棚板には支持部が嵌合する前後方向の嵌合凹部が表裏両面に形成されているので、小棚板は左右のブックサポートに支持された状態で、左右に位置ずれをおこすことがなく、左右端面を書籍の支持部として利用することが出来る。
又、書棚を机に並置し、小棚板の表裏を反転して使用すれば、小棚板にはペントレーとして機能可能な小物収納用凹部が形成されているので、机上の邪魔にならない個所にペントレーを構成することも出来るだけでなく、小棚板を机上のペントレーとしても使用することが出来る。
【図面の簡単な説明】
【００１４】
【図１】本発明の第１実施例の書棚の正面図。
【図２】本発明の第１実施例の書棚の右側面。
【図３】図１のＡ−Ａ線断面図。
【図４】図１のＢ−Ｂ線断面図。
【図５】図４のＣ−Ｃ部分拡大図。
【図６】図５のＤ−Ｄ線要部断面図。
【図７】第２実施例の要部断面図。
【図８】図７のＥ−Ｅ線要部断面図。
【図９】図７のＦ−Ｆ線要部断面図。
【発明を実施するための形態】
【００１５】
本発明は、棚板の下面の前後部に、互いに平行に延びる前後レール部を設け、該両レール部に、線材からなるブックサポートの前後水平嵌合部をそれぞれ弾性付勢させることで、その直下の棚板上に並立している書籍類の倒れを防ぐようにした書棚のブックサポート装置において、書棚は複数枚の棚板と、少なくとも一枚の小棚板を有し、棚板は少なくとも２つのブックサポートを有し、ブックサポートは、左右に所定間隔を有して配設された状態で、前記小棚板の左右端部を支持する支持部を有し、支持部の上方には小棚板の奥行き寸法より小さい間隔で、前後垂下部が形成され、小棚板の左右端部表裏両面に支持部が嵌合する前後方向の嵌合凹部が形成され、表裏面の少なくとも一方には、ペントレーとして機能可能な小物収納用凹部が形成されているものである。
【実施例１】
【００１６】
第１実施例を、添付図面（図１〜図６）に基づいて詳述する。
図１、図２において、符号１は書棚を示し、書棚１は、左右側枠１１、１１と、左右側枠１１、１１の上下端部間に連結された天板１２、底板１３と、天板１２と底板１３の後端面で、左右側枠１１、１１の後端部間に配設された上下背板１４、１５と、上下背板１４、１５間で上下に所定間隔を有して、左右側枠１１、１１の後端部間に配設された中背板１６・・・と、天板１２、底板１３間で上下取り付け位置選択可能で、着脱自在に配設された複数の棚板２・・・と、天板１２と棚板２・・・の下面に設けられた複数個のブックサポート３・・・と、左右に所定距離はなれて位置する２つブックサポート３、３に着脱自在に支持された小棚板５より構成されている。
【００１７】
左右側枠１１、１１は対向した同形に構成されているので、一方側についてのみ説明する。
側枠１１は、所定間隔を有して前後に立設された前後縦部材１１１、１１２と、前後縦部材１１１、１１２間に、上下方向に所定間隔を有して配設された複数個の前後横繋ぎ部材１１３・・・と、側枠１１の略下半部を閉塞する横幕板１１４より構成され、前後縦部材１１１、１１２の内面に、棚板２・・・を着脱自在に連結するための取り付け孔(図示せず。)が、上下方向に所定間隔を有して複数個形成されている。
【００１８】
天板１２、底板１３、棚板２・・・は、左右側枠１１、１１と連結される（あるいは、着雑自在に取り付けられる）左右端部の構造は相違するが、本発明のブックサポート装置に関連する個所は同形に形成されているので、棚板２の構造についてのみ説明する。
棚板２は、下面の前後部に、互いに平行に延びる前後レール部７、７が設けられている。
【００１９】
前後レール部７、７は対向した同形に形成されているので一方側についてのみ説明する。
レール部７は、後記するブックサポート３の金属線杆の直径の２倍強の奥行きと深さを有し、下面が開口し、ほぼ幅方向全幅に渡って形成された着脱用上向き溝７１と、着脱用上向き溝７１の上端部の前後いずれか側に連続し、金属線杆の直径とほぼ等しい奥行きの深さで連設された弾性嵌合溝７２より構成されている。
【００２０】
ブックサポート３は、金属線杆を折り曲げて形成されており、前後レール部７、７の位置から垂下する前後垂下部３１、３２と、後垂下部３２の上下方向の中程を後方に、下向きＬ字型に折り曲げて形成された後方突出段部３３と、後方突出段部３３と前垂下部３１の下端部間に連設された、小棚板５の左右端部を支持する支持部３４と、前後垂下部３１、３２の上端部前後面に設けられ、左右方向に所定長さ突出し前記弾性嵌合溝７２に嵌合する前後水平嵌合部３１１、３２１より形成されている。
【００２１】
小棚板５は、奥行きがブックサポート３の支持部３４の奥行きより小さく、書棚の横幅の３分１強の幅寸法の大きさで、左右端部の表裏両面に、支持部３４が嵌合する嵌合凹部５１・・・が前後方向に渡って形成されている。
そして、表裏面のいずれか一方の面には、ペントレーとして機能可能な左右に大小２つの小物収納用凹部５２・・・が形成されている。
【００２２】
第１実施例は上記のごとく構成され、ブックサポート３は、前後垂下部３１、３２を握るようにして、間隔を縮め前後水平嵌合部３１１、３２１を弾性嵌合溝７２より逸脱せしめ
左右方向の所望の位置にスライドさせた後、前後垂下部３１、３２を離して、前後水平嵌合部３１１、３２１を弾性嵌合溝７２に嵌合させて、支持部３２で書籍の並立状態の倒れを防止するか、あるいは、前後水平嵌合部３１１、３２１を着脱上向き溝７１より下方に抜き出し、所望の位置で、着脱上向き溝７１の下方より逆の操作で取り付け書籍の転倒を防止する。
【００２３】
次に、ブックサポート３、３を、背高の書籍と背低の書籍を棚板上にまとめて整頓され、背低の書籍の上方の空間が、デッドスペースとなっており、書籍の買い増し等により一時的に仮置きする場所が必要なときは、ブックサポート３、３を背低の書籍の上方に、所定間隔を有して配設し、小棚板の小物収納用凹部５２を裏面側にして、嵌合凹部５１・・を支持部３４嵌合し、左右のブックサポート３、３間に小棚板５を配設する。
そして、背低の書籍を並立するときは、後垂下部３１、３２が書籍側面を支持して倒れるのを防止する。（図１に示す状態。）
一方、書棚１机の横に書棚を設置し、小棚板を反転して使用すれば、机上を広く使え、作業の邪魔にならない個所にペントレーを設置できるだけでなく、机上に載置すれば小棚板を机上のペントレーとしても使用ことが出来る。
【００２４】
また、ブックサポート３は、前後垂下部３１、３２の後垂下部３２の上下方向の中程から、後方に下向きＬ字型に折り曲げて形成される後方突出段部３３を有した形態であるため、ブックサポート３を支持する前後レール部７、７を、棚板２の前後長の前方よりに配置することができる。そのため、棚板２は、前後レール部７、７を有する前棚板部と該前棚板部の後端に連接する後棚板との前後に２分割させることもでき、前棚板部を取り外すことにより棚板の奥行きを変化させることができる。
【００２５】
次に、第２実施例を図７から図９に基づいて説明する。
第２実施例の前後レール部７、７は第１実施例と同様、着脱用上向き溝７１、７１と弾性嵌合溝７２、７２より構成されていが、第２実施例のブックサポート３に対応して前後間隔が第１実施例の前後間隔より小さく、棚板５下面の前後方向中央よりに設けられている。
【００２６】
第２実施例のブックサポート３は、第１実施例と同様、金属線杆を折り曲げて形成されており、前後レール部７、７の位置から垂下する前後垂下部３１、３２と、前後垂下部３１、３２の上下方向の中程を前後方に折り曲げて形成された前後第２支持部３４０、３４０と前後第２支持部３４０、３４０の前後端部を下方に折り曲げて形成された前後突出段部３０、３３と、前後方突出段部３０、３３の下端部間に連設された、小棚板５の左右端部を支持する第１支持部３４と、前後垂下部３１、３２の上端部前後面に設けられ、左右方向に所定長さ突出し前記弾性嵌合溝７２に嵌合する前後水平嵌合部３１１、３２１より形成されている。
【００２７】
第２実施例の小棚板５は、奥行きがブックサポート３の第１支持部３４の奥行きより小さく、第２支持部３４０より大きく、書棚の横幅の３分１強の幅寸法の大きさで、左右端部の表裏両面に、第１支持部３４、第２支持部３４０に選択的に嵌合する嵌合凹部５１・・・が前後方向に渡って形成されている。
そして、表裏面のいずれか一方の面には、ペントレーとして機能可能な左右に大小２つの小物収納用凹部５２・・・が形成されている。
符号５０・・・は小棚板５を第２支持部３４０に支持する際、ブックサポート３の前後垂下部３１、３２の下端部と第２支持部３４０、３４０の連設個所を逃がすための支持用切り欠き部を示している。
【００２８】
第２実施例は上記の如く構成され、第１実施例同様第１支持部３４に小棚板５を支持させたとき、小棚板５上の書籍は、前後垂下部３１、３２、第２支持部３４０、３４０によって倒れるのが防止され、小棚板５が第２支持部３４０・・・によっての支持された場合、小棚板５上の書籍は、前後垂下部３１、３２によって倒れるのが防止され、小棚板５の下方の棚板２上の書籍は第１支持部３４によって倒れるのが防止される。
【産業上の利用可能性】
【００２９】
以上のように、本発明は、ブックサポートの機能を維持しつつ、従来デッドスペースとなっていた空間を、書籍、フィギュア等の載置スペースとして利用できる書棚で、家庭等の勉強部屋や書斎等の執務空間で広く利用することができ、このようなブックサポートを有した書棚と机を組み合わせて広く利用することも可能である。
【符号の説明】
【００３０】
１                書棚
２                棚板  
３                ブックサポート
３１、３２        前後垂下部
３４（３４０）    支持部
５                小棚板
５１              嵌合凹部
５２              小物収納用凹部
７，７            前後レール部
【図１】
0006684653.tif 000002
【図２】
0006684653.tif 000003
【図３】
0006684653.tif 000004
【図４】
0006684653.tif 000005
【図５】
0006684653.tif 000006
【図６】
0006684653.tif 000007
【図７】
0006684653.tif 000008
【図８】
0006684653.tif 000009
【図９】
0006684653.tif 000010